(57)【要約】      （修正有）【課題】逆Ｖ字形断面の通行案内表示用看板において、軽量化と強度補強を併せて実現する。【解決手段】通行案内表示用看板は、断面が逆Ｖ字形の山形に屈曲し、前後両面に表示面となるパネル２を備え、山形の稜線部に逆Ｖ字形断面に成形された前後の下端側にパネルの上端を接合固定する山形に形成された左右方向のジョイント片１を設け、ジョイント片の稜線部内面側に稜線方向に沿った補強リブ１ｂを下向きに突設形成している。また、補強リブの内部に稜線方向に沿った孔１ｃを設け、ジョイント片のスカート部１ａの下端側内面には両スカート部同士を連結する補強壁１ｄを設け、複数の看板を山形に沿って重ね合わせた際に補強壁の下面側を他の同型の通行案内表示用看板のジョイント片の稜線部の山形断面の外形と重なり合うように山形断面に形成している。【選択図】図２
0003213736.tif 000002
【実用新案登録請求の範囲】
【請求項１】
断面が逆Ｖ字形の山形に屈曲し、前後両面に少なくとも一方の面が表示面となるパネル（２）を備え、山形の稜線部に逆Ｖ字形断面に成形された前後の接合板の下端側に上記パネル（２）の上端を接合固定する山形に形成された左右方向のジョイント片（１）を設けた通行案内表示用看板において、上記ジョイント片（１）の稜線部内面側に稜線方向に沿った補強リブ（１ｂ）を下向きに突設形成した通行案内表示用看板。
【請求項２】
補強リブ（１ｂ）の内部に稜線方向に沿った孔（１ｃ）を設け、補強リブ（１ｂ）を中空断面に形成した請求項１に記載の通行案内表示用看板。
【請求項３】
上記ジョイント片（１）のスカート部（１ａ）の下端側内面に両スカート部（１ａ）同士を連結する補強壁（１ｄ）を設け、複数の看板を山形に沿って重ね合わせた際に該補強壁（１ｄ）の下面側を他の同型の通行案内表示用看板のジョイント片（１）の稜線部の山形断面の外形と概ね適合して重なり合うように山形断面に形成してなる請求項１又は２に記載の通行案内表示用看板。
【請求項４】
前後のパネル（２）の下端に弾力性を備えた接地用の脚部（３）を接合して取付けたものにおいて、該脚部（３）の底面に床面に沿って前後方向に一定幅をもって左右方向に帯状に接地する接地面（３ａ）を設け、脚部（３）の下部を上記接地面（３ａ）側を底辺とする三角形断面のクッション部（３ｅ）とした請求項１〜３のいずれかに記載の通行案内表示用看板。
【請求項５】
脚部（３）のクッション部（３ｅ）を三角形の中空部（３ｄ）を有する三角形断面とした請求項１〜４のいずれかに記載の通行案内表示用看板。
【請求項６】
パネル（２）の表面にプリズム形反射シート又は高輝度反射面を備えた反射材からなる表示面を設けるとともに、該表示面に光を照射した際に立体的に視認される標識その他の表示物（１１ａ），（１１ｂ）を施してなる請求項１〜５のいずれかに記載の通行案内表示用看板。
【請求項７】
パネル（２）の左右両端に上記表示面の端部を一定幅で覆うカバープレート（８）を取付けてなる請求項６に記載の通行案内表示用看板。
【考案の詳細な説明】
【技術分野】
【０００１】
この考案は、工事現場や災害現場、イベント会場等で車両や通行人を適切且つ安全に誘導するための通行案内表示用看板に関する。
【背景技術】
【０００２】
従来工事現場等で車両や通行人を誘導案内する工事案内看板、矢印板等と称される路面配置型で、逆Ｖ字形の山形（屋根型）パネルの表面に案内表示を施した看板が広く知られており、例えば特許文献１に示すものが公知である。
【０００３】
特許文献１に示すように山形の案内看板は、山形の頂点（稜線）部内面に円弧状の山形に湾曲したラバー付の内挿材を取付け、多数の看板を重ねて保管又は搬送できる構造になっている。また山形に形成された前後の表示パネルの下端には、表示パネルの下端を保護する弾性部材よりなるプロテクター（脚部）が設けられている。上記山形の稜線部には山形に湾曲したアルミ材製のジョイント片の前後のスカート部に表示パネルを接合したもの、さらにジョイント片の上部中央に稜線部を残してゲート状に切欠くことによって持運び用の把手部を形成したもの（図１参照）が普及している。
【先行技術文献】
【特許文献】
【０００４】
【特許文献１】特開平１０−３１７３３１号公報
【考案の概要】
【考案が解決しようとする課題】
【０００５】
前記のように稜線部にジョイント片を介して前後の表示パネルを接合して連結するものでは、看板自体をできる限り軽量化するために肉厚を薄くする必要があり、これを薄くすると上方からの荷重や衝撃に対する耐久性が低下するという問題があり、特に稜線部中央に把手部を形成するものでは、把手部に耐久性が求められる。
【０００６】
また前後の表示パネルや表示パネル下端の接地用脚部も、耐久性を求めながらも可能な限り肉厚を薄くし軽量化を図る必要がある。
【課題を解決するための手段】
【０００７】
上記課題を解決するための本考案の看板は、第１に、断面が逆Ｖ字形の山形に屈曲し、前後両面に少なくとも一方の面が表示面となるパネル２を備え、山形の稜線部に逆Ｖ字形断面に成形された前後の接合板の下端側に上記パネル２の上端を接合固定する山形に形成された左右方向のジョイント片１を設けた通行案内表示用看板において、上記ジョイント片１の稜線部内面側に稜線方向に沿った補強リブ１ｂを下向きに突設形成したことを特徴としている。
【０００８】
第２に、補強リブ１ｂの内部に稜線方向に沿った孔１ｃを設け、補強リブ１ｂを中空断面に形成したことを特徴としている。
【０００９】
第３に、上記ジョイント片１のスカート部１ａの下端側内面に両スカート部１ａ同士を連結する補強壁１ｄを設け、複数の看板を山形に沿って重ね合わせた際に該補強壁１ｄの下面側を他の同型の通行案内表示用看板のジョイント片１の稜線部の山形断面の外形と概ね適合して重なり合うように山形断面に形成してなることを特徴としている。
【００１０】
第４に、前後のパネル２の下端に弾力性を備えた接地用の脚部３を接合して取付けたものにおいて、該脚部３の底面に床面に沿って前後方向に一定幅をもって左右方向に帯状に接地する接地面３ａを設け、脚部３の下部を上記接地面３ａ側を底辺とする三角形断面のクッション部３ｅとしたことを特徴としている。
【００１１】
第５に、脚部３のクッション部３ｅを三角形の中空部３ｄを有する三角形断面としたことを特徴としている。
【００１２】
第６に、パネル２の表面にプリズム形反射シート又は高輝度反射面を備えた反射材からなる表示面を設けるとともに、該表示面に光を照射した際に立体的に視認される標識その他の表示物１１ａ，１１ｂを施してなることを特徴としている。
【００１３】
第７に、パネル２の左右両端に上記表示面の端部を一定幅で覆うカバープレート８を取付けてなることを特徴としている。
【考案の効果】
【００１４】
以上のように構成される本考案の看板は、以下のような効果を奏する。
（１）山形に形成したジョイント片の上端内部に補強部材を突設したことにより、ジョイント部材自体が薄肉であっても耐久性が高まり、左右中間位置に切欠状の把手部を設けてもその部分の強度低下が補われる利点がある。補強リブ断面を中空にすることにより軽量化が図られ、この中空部にフックを係止することにより、看板の内部に安定設置用のウェイトを吊下げることができる。
【００１５】
（２）ジョイント内に前後のスカート部を連結する補強壁を設けることにより、スカート部が補強されるとともにその内面をジョイント部材の上面の山形と適合する山形にすることで、多数の看板を重ねて積み上げた際の安定性がよく、逆Ｖ字形が前後に広がる看板の断面の変形も防止できる。
【００１６】
（３）脚部の下部のクッション部を底辺が接地する三角形断面にすることにより、路面等に看板が安定的に配置され、内部を中空とすることにより強度的にも強く且つクッション性も良いという利点がある。
【００１７】
（４）パネル表面が高輝度反射面であり、ここに立体的な表示をすることにより人による視認性が高まる。またパネル両端をカバープレートで保護することにより、反射面が外力や雨水等による損傷が防止できるほか、高輝度反射面の効果がより長く持続する利点がある。
【図面の簡単な説明】
【００１８】
【図１】本考案の通行案内表示用看板の全体斜視図である。
【図２】看板の上端部の断面構造と、多数の看板を積み重ねた状態を表す断面図である。
【図３】看板下端部の構造と多数の看板を積み重ねた際の看板下端部の重なり状態を示す側面図である。
【図４】パネル端部のカバー状態を示す拡大断面図である。
【図５】看板内部の端部に看板安定設置用のウェイトを吊るした状態の断面図である。
【図６】本考案の看板の実際の表示面に表示物を表示した例を示す写真である。
【考案を実施するための形態】
【００１９】
図１〜図６は本考案の１実施形態を示し、図１は本考案の通行案内表示用看板（以下「看板」と略称する）の全体斜視図であり、図２，図３はそれぞれ看板の上端（稜線部）と表示パネルの下端部の詳細構造を示している。
【００２０】
この考案の看板は、上端稜線部の山形に湾曲形成（アルミ押出成形）された左右方向のジョイン片１と、該ジョイント片１に垂れ下がった前後のスカート部１ａの下端に下向きに接合された長方形又は正方形のアルミ複合板からなる表示パネル２と、各表示パネル２の下端を覆うように前後方向に取付けられたゴム等の弾性部材からなる接地部としての脚部３とが、全体としてパネル同士の交差角５５°程度の逆Ｖ字形で前後対称形の断面に組付けられて構成されている。
【００２１】
ジョイント片１は２ｍｍ程度の板厚で全高５５ｍｍ程度のサイズで押出し成形されたもので、山形に湾曲した上部の内面中央には、下向きの半円形断面の山形の補強リブ１ｂが稜線方向に沿って下向きに突設形成され、補強リブ１ｂの中心には左右方向に貫通する円形の孔１ｃが形成され、中空リブとなって軽量化されている。
【００２２】
また前後のスカート部１ａの下方の内側には、中央が山形に湾曲した補強壁１ｄが両スカート部１ａを連結するように形成されてジョイント片１全体が強度補強されるとともに、上記補強壁１ｄの両端側下部には、スカート部１ａ下端内面との間に表示パネル２の上端を挿入する差込溝１ｅを形成するための受けリブ１ｆが下向きに突設されている。補強壁１ｄの湾曲内面は、ジョイント片１の上端面外周の湾曲面と適合して重なり合うようになっている（図２参照）。表示パネル２の上端はこの差込溝１ｅに下側から差込まれ、スカート部１ａ下端内面に重ねられビス又はリベット等の固着具４によって接合固着される。
【００２３】
表示パネル２の下端にはゴム等の弾性部材からなる脚部３が弾力的な接地部として左右方向全幅にわたって取付けられており、この脚部３はその底面が床面に沿って均一に左右方向に帯状に接地する接地面３ａを形成し、接地面上には、上記パネル２の傾斜角と対応して内向きに傾斜して表示パネル２の下端を差込収容する受溝３ｂを備えた収容部３ｃが形成され、表示パネル２の下端は脚部３の収容部３ｃで保護された状態で、収容部３ｃの外側に沿って設けられた押えプレート６に対して収容部３ｃ内に止めビス７により締着固定される。上記収容部３ｃと接地面３ａとの間には三角形の中空部３ｄを有するクッション部３ｅが形成され、このクッション部３ｅと接地面３ａとにより、表示パネル２は一定の弾力を保ちながらも安定的に接地して、看板全体を支える。
【００２４】
前後の各表示パネル２は、左右端の露出表面を上下全長にわたって表面側から覆うように上下方向のカバープレート８がリベット又はビス等の固着具９によって取付けられており、カバープレート８は図４に示すように表示パネル２の端面と表面を同時に覆うようにＬ字形断面に形成されたものを用いる。
【００２５】
上記構成によれば、看板を上下方向に重ねた際に、上方に向けて凹設するように湾曲形成された前記補強壁１ｄの下面側と、山型に湾曲形成された前記ジョイント片１の上面側とが嵌合するようにして当接されるため、看板を重ねて積み上げた際の安定性がよくなる。また、前記ジョイント片１に形成した補強リブ１ｂ及び孔１ｃによって、多数の看板を重ねて積み上げた場合であっても、下側の看板が重さによって逆Ｖ字形が前後に広がるように変形することを防止できる（図２参照）。
【００２６】
また、該構成の看板を上下方向に重ねると、前記ジョイント片１を介したことによって、上の看板の表示パネル２上部と、下の看板の表示パネル２上部との間には、前記補強壁１ｄ端部側の屈曲部によりスペースが確保される（図２参照）。このとき、上の看板の表示パネル２下部の脚部３の接地面３ａ内側端部が、下の看板の表示パネル２下部の前記押えプレート６（脚部３上部側）に当接された状態で保持されるため、上の看板の表示パネル２下部と、下の看板の表示パネル２の下部との間にも、スペースが確保される（図３参照）。
【００２７】
すなわち、該構成の看板を上下に重ねて収容した場合、上下の看板の表示パネル２同士の間に所定の空間を確実に確保した状態で安定して収容できるため、看板を重ねた際に表示パネル２の表面に傷がつくことを効率的に防止することができる。
【００２８】
ちなみに、従来の看板を多数重ねて収容する場合には、看板を上下方向に重ねると自重によって下側の看板がへたって変形してしまうため、看板を複数の看板を縦置きした状態で水平方向に重ねて収容していた。この収容方法では、収容された看板を取出す場合に、縦置きした看板の側面が地面と擦れて表示パネル端部側を痛めやすく、縦置きした看板を把持するための把持部を表示パネル側に設ける必要があるため、看板の強度が低下する場合があったが、上述の構成の看板によれば、上下方向に重ねることによって、安全且つスムーズに多数の看板を収容することができる。
【００２９】
なお、上記の表示パネル２の表面は上下左右の略全周をカバーされているが、これは表示パネル２の表面の特に劣化し易い周面を保護するためのものである。即ち、表示パネル２は既述のように例えばアルミ複合板等のように軽量で耐久性のある材料が用いられるが、表示面となるその表面には例えばプラスチック製でプリズムレンズ型反射シート，カプセルレンズ型反射シート，高輝度反射板等と称される比較的高価な公知の特殊な反射材２ａを用いるためである。該表示パネル２の具体的な構成については後述する。
【００３０】
尚、本実施形態の看板では、ジョイント片１の左右の中間位置にゲート状の切欠を把持部１２として形成し、この把持部１２を持って持運びができる。１３はゲート状の切欠の内周に嵌合した合成樹脂製の保護カバーである。このように把持部１２を形成するとこの部分の外力に対する強度は低下するが、先に述べた補強リブ１ｂによって強度低下は補われる。
【００３１】
図５は看板の上端コーナーの構造と補強リブ１ｂ断面内の孔１ｃの利用方法を示しており、この例では上記孔１ｃの開口端にフック１４の上端を差込み、看板内において上記フック１４に土のう等のウェイト１６を吊下げることにより、看板の路面上での固定性、安定性を確保することができる。
【００３２】
図６は図１の表示を別角度から撮影した実施例の現物写真である。前記表示パネル２に用いられた反射材２ａは、反射面内に多数形成されたセル毎に且つ規則的に乱反射することにより、視認性を高めるもので、図１，図６に示すようにその反射面に例えば矢印からなる表示物１１ａを立体的に表示して印刷し、さらに矢印の影画像からなる表示物１１ｂを併せて表示することにより、通行案内看板としては高い視認性が与えられる。
【００３３】
より具体的に説明すると、該表示パネル２側に印刷される表示物１１ａは、前記看板が車両左手の歩道側に設置されることから、表示物１１ａが縦長の場合には左寄の一部を、表示物が横長の場合には上寄の一部をより薄く印刷することによって、表示物１１ａにグラデーションを形成し（紗を設け）、表示物１１ａの一部でより光の刺激が受け易くなるように構成している（図６参照）。
【００３４】
また、前記反射材２ａに印刷される表示物１１ａは、該表示物１１ａの印刷箇所にも反射材２ａの反射効果が持続されるように、ベタ塗はせずに反射材２ａが透けて見えるように印刷されている。これにより、表示パネル２に印刷される表示物１１ａを目立つように大きく印刷した場合であっても、反射材２ａによる光の反射量が落ちないように構成されている。
【００３５】
さらに、該表示物１１ａとして表示された矢印は、立体的に見えるように半円状（かまぼこ状）に形成されるとともに、表示パネル２全体を、黄色、オレンジ、赤、黒を基本とした彩色（具体的には裏地に黄色、表示物１１ａに赤やオレンジや黒等）で印刷されている。
【００３６】
上記構成により、表示パネル２（反射材２ａ）に印刷される表示物１１ａが、表示パネル２から浮き出るように強調して見えるため、従来の看板よりも格段に視認性が向上して遠くからでも分かりやすく、運転者が見逃しにくい掲示板として機能させることができる。
【符号の説明】
【００３７】
１      ジョイント片
１ａ    スカート部
１ｂ    補強リブ
１ｃ    孔
１ｄ    補強壁
２      表示パネル
２ａ    反射材
３      脚部
３ａ    接地面
３ｄ    中空部
３ｅ    クッション部
８      カバープレート
１１ａ  表示物
１１ｂ  表示物
【図１】
0003213736.tif 000003
【図２】
0003213736.tif 000004
【図３】
0003213736.tif 000005
【図４】
0003213736.tif 000006
【図５】
0003213736.tif 000007
【図６】
0003213736.tif 000008
【手続補正書】
【提出日】平成29年9月26日(2017.9.26)
【手続補正１】
【補正対象書類名】実用新案登録請求の範囲
【補正対象項目名】請求項５
【補正方法】変更
【補正の内容】
【請求項５】
脚部（３）のクッション部（３ｅ）を三角形の中空部（３ｄ）を有する三角形断面とした請求項４に記載の通行案内表示用看板。